【手続補正書】
【提出日】令和3年3月1日(2021.3.1)
【手続補正１】
【補正対象書類名】特許請求の範囲
【補正対象項目名】全文
【補正方法】変更
【補正の内容】
【特許請求の範囲】
【請求項１】
トナーとキャリアを含む現像剤を収容する樹脂製の現像容器と、
現像剤を搬送する搬送スクリューと、
前記搬送スクリューと非接触に対向配置され、現像剤を磁気的にシールするための磁気シール部材と、
前記現像容器に取り付けられて前記現像容器をキャップする樹脂製の軸受と、を備え、
前記軸受は、前記搬送スクリューを回転可能に支持する軸受部と、前記磁気シール部材を取り付ける取付部と、を備え、
前記取付部に取り付けられた前記磁気シール部材は、前記搬送スクリューが前記軸受部と嵌合する嵌合部よりも、前記搬送スクリューの回転軸線方向において前記現像容器の内側に位置している、
ことを特徴とする現像装置。
【請求項２】
前記搬送スクリューの嵌合部の外径は、前記搬送スクリューの回転軸線方向において、前記嵌合部よりも前記現像容器の内側の前記搬送スクリューの所定部分の外径よりも小さく、
前記取付部に取り付けられた前記磁気シール部材は、前記搬送スクリューの回転軸線方向において、前記搬送スクリューの所定部分よりも前記現像容器の内側に位置している、
ことを特徴とする請求項１に記載の現像装置。
【請求項３】
前記搬送スクリューの所定部分の外径と前記軸受の内径との間の隙間は、１［ｍｍ］〜３［ｍｍ］である、
ことを特徴とする請求項１又は２に記載の現像装置。
【請求項４】
トナーとキャリアを含む現像剤を収容する樹脂製の現像容器であって、
第一室と、
前記第一室と隔壁によって区画された第二室と、
前記第一室から前記第二室に現像剤が連通することを許容する第一連通部と、
前記第二室から前記第一室に現像剤が連通することを許容する第二連通部と、を含む現像容器と、
前記第一室に配置され、現像剤を前記第二連通部から前記第一連通部に向かう第一方向に搬送する第一搬送スクリューと、
前記第二室に配置され、現像剤を前記第一連通部から前記第二連通部に向かう第二方向に搬送する第二搬送スクリューと、
前記第二方向に関して前記第一連通部よりも上流に配置され、かつ、前記第二搬送スクリューと非接触に対向配置された、現像剤を磁気的にシールするための磁気シール部材と、
前記第二方向に関して前記第一連通部よりも上流に配置され、前記現像容器に取り付けられて前記現像容器をキャップする樹脂製の軸受と、を備え、
前記軸受は、前記第二搬送スクリューを回転可能に支持する軸受部と、前記磁気シール部材を取り付ける取付部と、を備え、
前記取付部に取り付けられた前記磁気シール部材は、前記第二方向において、前記第二搬送スクリューが前記軸受部と嵌合する嵌合部よりも下流に位置している、
ことを特徴とする現像装置。
【請求項５】
前記第二方向に関して前記第二連通部よりも下流に配置され、かつ、前記第二搬送スクリューと非接触に対向配置された、現像剤を磁気的にシールするための第二磁気シール部材と、
前記現像容器に取り付けられて前記現像容器をキャップする樹脂製の軸受であって、前記第二搬送スクリューを回転可能に支持する第二軸受部と、前記第二磁気シール部材を取り付ける第二取付部と、有する第二軸受と、を備え
前記第二取付部に取り付けられた前記第二磁気シール部材は、前記第二方向において、前記第二搬送スクリューが前記第二軸受部と嵌合する第二嵌合部よりも上流に位置している、
ことを特徴とする請求項４に記載の現像装置。
【請求項６】
前記第一方向に関して前記第二連通部よりも上流に配置され、かつ、前記第一搬送スクリューと非接触に対向配置された、現像剤を磁気的にシールするための第二磁気シール部材と、
前記現像容器に取り付けられて前記現像容器をキャップする樹脂製の軸受であって、前記第一搬送スクリューを回転可能に支持する第二軸受部と、前記第二磁気シール部材を取り付ける第二取付部と、有する第二軸受と、を備え
前記第二取付部に取り付けられた前記第二磁気シール部材は、前記第一方向において、前記第一搬送スクリューが前記第二軸受部と嵌合する第二嵌合部よりも下流に位置している、
ことを特徴とする請求項４に記載の現像装置。
【請求項７】
前記第一方向に関して前記第一連通部よりも下流に配置され、かつ、前記第一搬送スクリューと非接触に対向配置された、現像剤を磁気的にシールするための第二磁気シール部材と、
前記現像容器に取り付けられて前記現像容器をキャップする樹脂製の軸受であって、前記第一搬送スクリューを回転可能に支持する第二軸受部と、前記第二磁気シール部材を取り付ける第二取付部と、有する第二軸受と、を備え
前記第二取付部に取り付けられた前記第二磁気シール部材は、前記第一方向において、前記第一搬送スクリューが前記第二軸受部と嵌合する第二嵌合部よりも上流に位置している、
ことを特徴とする請求項４に記載の現像装置。
【請求項８】
前記第二搬送スクリューの嵌合部の外径は、前記第二方向において前記嵌合部よりも下流側に位置した前記第二搬送スクリューの所定部分の外径よりも小さく、
前記取付部に取り付けられた前記磁気シール部材は、前記第二方向において、前記搬送スクリューの所定部分よりも下流に位置している、
ことを特徴とする請求項４乃至７のいずれか１項に記載の現像装置。
【請求項９】
前記第二搬送スクリューの所定部分の外径と前記軸受の内径との間の隙間は、１［ｍｍ］〜３［ｍｍ］である、
ことを特徴とする請求項４乃至８のいずれか１項に記載の現像装置。
【手続補正２】
【補正対象書類名】明細書
【補正対象項目名】発明の名称
【補正方法】変更
【補正の内容】
【発明の名称】現像装置
【手続補正３】
【補正対象書類名】明細書
【補正対象項目名】０００１
【補正方法】変更
【補正の内容】
【０００１】
本発明は、プリンタ、複写機、ファクシミリあるいは複合機などの、電子写真技術を利用した画像形成装置に用いて好適な現像装置に関する。
【手続補正４】
【補正対象書類名】明細書
【補正対象項目名】０００６
【補正方法】変更
【補正の内容】
【０００６】
本発明は上記課題に鑑みてなされたものである。本発明の目的は、樹脂製の現像容器をキャップする樹脂製の軸受によって搬送スクリューが支持される構成で、軸受への現像剤の侵入を抑制しつつ、搬送スクリューの回転に伴い生じる熱による現像剤への影響を低減させることが可能な現像装置を提供することにある。
【手続補正５】
【補正対象書類名】明細書
【補正対象項目名】０００７
【補正方法】変更
【補正の内容】
【０００７】
本発明の一態様は、トナーとキャリアを含む現像剤を収容する樹脂製の現像容器と、現像剤を搬送する搬送スクリューと、前記搬送スクリューと非接触に対向配置され、現像剤を磁気的にシールするための磁気シール部材と、前記現像容器に取り付けられて前記現像容器をキャップする樹脂製の軸受と、を備え、前記軸受は、前記搬送スクリューを回転可能に支持する軸受部と、前記磁気シール部材を取り付ける取付部と、を備え、前記取付部に取り付けられた前記磁気シール部材は、前記搬送スクリューが前記軸受部と嵌合する嵌合部よりも、前記搬送スクリューの回転軸線方向において前記現像容器の内側に位置している、ことを特徴とする現像装置である。
【手続補正６】
【補正対象書類名】明細書
【補正対象項目名】０００８
【補正方法】変更
【補正の内容】
【０００８】
本発明の一態様は、トナーとキャリアを含む現像剤を収容する樹脂製の現像容器であって、第一室と、前記第一室と隔壁によって区画された第二室と、前記第一室から前記第二室に現像剤が連通することを許容する第一連通部と、前記第二室から前記第一室に現像剤が連通することを許容する第二連通部と、を含む現像容器と、前記第一室に配置され、現像剤を前記第二連通部から前記第一連通部に向かう第一方向に搬送する第一搬送スクリューと、前記第二室に配置され、現像剤を前記第一連通部から前記第二連通部に向かう第二方向に搬送する第二搬送スクリューと、前記第二方向に関して前記第一連通部よりも上流に配置され、かつ、前記第二搬送スクリューと非接触に対向配置された、現像剤を磁気的にシールするための磁気シール部材と、前記第二方向に関して前記第一連通部よりも上流に配置され、前記現像容器に取り付けられて前記現像容器をキャップする樹脂製の軸受と、を備え、前記軸受は、前記第二搬送スクリューを回転可能に支持する軸受部と、前記磁気シール部材を取り付ける取付部と、を備え、前記取付部に取り付けられた前記磁気シール部材は、前記第二方向において、前記第二搬送スクリューが前記軸受部と嵌合する嵌合部よりも下流に位置している、ことを特徴とする現像装置である。
【手続補正７】
【補正対象書類名】明細書
【補正対象項目名】０００９
【補正方法】変更
【補正の内容】
【０００９】
本発明によれば、樹脂製の現像容器をキャップする樹脂製の軸受によって搬送スクリューが支持される構成で、軸受への現像剤の侵入を抑制しつつ、搬送スクリューの回転に伴い生じる熱による現像剤への影響を低減させることができる。